(57)【特許請求の範囲】
【請求項１】
上枠、下枠、左右の側枠が矩形状に組み立てられた枠体と、この枠体の屋外面に取り付けられた表面板と、枠体の屋内側に取り付けられた裏面板とからなるドアにおいて、前記上枠と下枠の間に隙間を隔てた平行な２本の中桟が差し渡され、この２本の中桟の間の表面板と上枠と下枠が切欠されて上枠の上端から下枠の下端までに溝が形成され、断面Ｔ字形の長尺体が、ウエッブを溝の中に入れフランジで溝の入口を塞いだ状態に取り付けられ、溝の中に入れられた長尺体のウエッブが中桟に固定されていることを特徴とするドア。
【発明の詳細な説明】
【０００１】
【発明の属する技術分野】
本発明は、ドアに関する。
特に、玄関ドア等に好適なドアに関する。
【０００２】
【従来の技術】
従来の多くのドアは、実開平４−３３３４５号公報、実開平５−５５５号公報に記載あるように、上枠、下枠、左右の側枠が矩形状に組み立てられた枠体と、この枠体の屋外面に取り付けられた表面板と、枠体の屋内側に取り付けられた裏面板とからなるものであって、壁の開口に取り付けられた額縁に、ドアの左右どちらか一方の側枠を蝶番等で回転自在に取り付け、他方の側枠近くに把手を取り付け、この把手をもってドアを回転させて開閉するものである。
【０００３】
そして、玄関に取り付けられるドアは、強度、美観、防音性、耐水性、防犯性を重視する必要があるから、表面板と裏面板の間にハニカムを入れて機械的強度を強くしたり、表面板にデザイン鋼板を使用して美麗にし、且つ、強度、防音性、耐水性、防犯性を向上させている。特に、アパートやマンションでは防犯性をよくするために堅牢な構造になっている。
そして、この玄関ドアは内開きにすると玄関の上がり口を広くする必要があるが、アパートやマンション等では玄関口が狭いので外開きのドアが多い。
【０００４】
【発明が解決しようとする課題】
しかしながら、玄関ドア等を堅牢な構造にしていると、防犯には好適であるが、地震等の災害時にドアが開かなくなることがある。
例えば、地震等で家屋が歪んだり錠が故障するとドアが開かなくなるし、地震等の災害時に玄関ドアの前に重量物が落下したりすると、外開きの玄関ドアが開かなくなる。
そして、地震や火災等の災害時には通常のマンションの２階以上の高層階の居住者は室内からドアを開けて非常口から脱出するようになっているが、上記のように玄関ドアが開かなくなると、自力で脱出できず救助を待つしかない。
即ち、防犯上外敵を防ぐための堅牢なドアが自分自身を部屋に閉じ込める凶器となる。
そこで、本発明の目的は、堅牢なドアであって、地震等の災害時にドアが開かなくなっても脱出できるドアを提供することである。
【０００５】
【課題を解決するための手段】
本発明は上記目的を達成するためになしたものであって、上枠、下枠、左右の側枠が矩形状に組み立てられた枠体と、この枠体の屋外面に取り付けられた表面板と、枠体の屋内側に取り付けられた裏面板とからなるドアにおいて、前記上枠と下枠の間に隙間を隔てた平行な２本の中桟が差し渡され、この２本の中桟の間の表面板と上枠と下枠が切欠されて上枠の上端から下枠の下端までに溝が形成され、断面Ｔ字形の長尺体が、ウエッブを溝の中に入れフランジで溝の入口を塞いだ状態に取り付けられ、溝の中に入れられた長尺体のウエッブが中桟に固定されているものである。
【０００６】
本発明では、表面板が切欠されて上枠の上端から下枠の下端までに溝が形成されているが、この溝は上枠の上端から下枠の下端まで連続した溝を設けてもよいが、ドアが屋外側からの力で折れ難いが、屋内側から強い力を加えたときに壊れ易い程度に、表面板を切欠してない部分を残してもよい。
又、本発明では、溝の中に入れられた長尺体のウエッブが中桟に固定されているが、このようにウエッブを中桟に固定する手段は適宜でよい。例えば、ボルト・ナットで固定してもよいし、リベットで固定してもよいし、又、ピンで固定してもよい。
【０００７】
（作用）
本発明ドアでは、表面板が切欠されて溝が形成されているが、この溝は長尺体のフランジで溝の入口が塞がれているから、このドアを取り付けていると、外側からは溝が見えず美麗である。
又、このドアに屋外側（表面板側）から力を加えると、表面板と上枠と下枠が切欠されているから、このドアが裏面板を中心にして屋内側に曲がるようになる。
【０００８】
すると、表面板が切欠されて溝が形成され、この溝の中に長尺体のウエッブが入れられているから、両側の中桟が溝方向に倒れて、長尺体のウエッブの両側面に突き当たってドアが曲がり難いし、又、溝の中に入れられた長尺体のウエッブが中桟に固定されているから、ドアの曲がりに応じてこのウエッブが屋内側（裏面板側）に移動し、このウエッブに一体になっているフランジがドアの表面板に突き当たってドアの屋内側への曲がりに抵抗するので、ドアが屋内側に曲がり難い。
このように本発明ドアは、中桟が長尺体のウエッブの両側面に当たることと、フランジが表面板に突き当たることとでドアが曲がり難く、従って、屋外側からの力に対しては堅牢である。
従って、防犯上安全である。
【０００９】
又、ドアに屋内側（裏面板側）から力を加えると、このドアが裏面板を中心にして屋外側に曲がるようになる。
すると、表面板が切欠された溝が拡がるから、この屋内側からの力に対して溝の中に入れられている長尺体のウエッブは無力である。又、長尺体のフランジもドアの曲がりに応じて屋外側方向に移動するので、このフランジもドアの曲がりを防ぐ力にならない。結局、この屋内側からの力に対する抵抗は屋内側の裏面板だけになり、極めて弱い。
従って、地震等の災害時に玄関ドアの前に重量物が落下して外開きの玄関ドアが開かなくなったり、地震等で家屋が歪んだり錠が故障してドアが開かなくなると、屋内側からこのドアを蹴飛ばす等して力を加えることで、このドアを屋内側から開けることができる。その後、このドアの開いた所から脱出して避難することができる。
【００１０】
【発明の実施の形態】
次に、本発明の実施例を説明する。
図１〜図３は本発明ドアの一実施例を示すもので、図１はドアの水平断面図、図２はドアの製造手順を示すもので、（イ）は裏面板を取り付け、ハニカムを取り付けている状態を示す説明図、（ロ）は（イ）のＡ−Ａ線における断面を示す説明図、（ハ）は表面板を取り付けた状態を示す説明図、（ニ）は断面Ｔ字形の長尺体の斜視図、（ホ）は屋外側から見たドアの説明図、（ヘ）は屋内側から見たドアの説明図、図３は災害時に脱出する状態を示すもので、（イ）はドアの前に重量物が落下した状態を示す説明図、（ロ）は玄関ドアを蹴飛ばしている状態を示す説明図、（ハ）はドアが曲げられて人が脱出できる隙間ができた状態を示す説明図、（ニ）は人が脱出した状態を示す説明図である。
【００１１】
１はドアであり、このドア１はＣ形鋼からなる上枠２１、下枠２２、左右の側枠２３、２４が矩形状に組み立てられた枠体２と、この枠体２の屋外面に取り付けられたデザイン鋼板からなる表面板３と、枠体２の屋内側に取り付けられた鋼板からなる裏面板４とからなる。
又、この上枠２１と下枠２２のほぼ中央部にほぼ平行な２本の中桟５、５が差し渡されている。
この差し渡されている２本のＣ形鋼の中桟５、５の間の上枠２１、下枠２２および表面板３が切欠されて、下枠２１の上端から下枠２２の下端までに溝６が形成されている。尚、表面板３の２か所に切欠されない部分３１、３１を残している。
【００１２】
７は鋼製の断面Ｔ字形の長尺体であり、この長尺体７はウエッブ７１を溝６の中に入れ、フランジ７２で溝６の入口を塞いだ状態に取り付けられ、この溝６の中に入れられた長尺体７のウエッブ７１が中桟５に接着剤で固定されている。尚、ウエッブ７１の表面板３の切欠されてない部分３１、３１に相当する部分は切欠７５されている。
８は表面板３と裏面板４との間に入れられた紙製のハニカムである。
８１はドア１の両側縁に取り付けられた補強板である。
８２は郵便受け口であり、８３は把手であり、８４は錠孔であり、８５は蝶番である。
９は玄関側の壁である。９１は壁９の開口に取り付けられた額縁であり、この額縁９１にドア１が取り付けられている。
９３は玄関の前に落下した重量物であり、９４は脱出する人である。
【００１３】
次に、このドアの製造方法および使用方法について説明する。
上枠２１と下枠２２の１／２より溝６の１／２の長さだけ短い枠体と、側枠２３、中桟５を図２（イ）に示すようにほぼ矩形に組み立てて小枠体を２個製造し、この２個の小枠体を溝６の幅のスペーサー６１を挟んでリベット２５で連結して枠体２を製造する。
次に、図１（イ）に示すように、裏面板４の上に枠体２を置き、この裏面板４の内面に接着剤を塗布した後、ハニカム８を敷き並べる。
【００１４】
次に、表面板３の内面に接着剤を塗布した後、この表面板３を、図２（ハ）に示すように、ハニカム８の上に置き、ハニカム８を表面板３に接着剤で接着する。
次に、Ｔ字形の長尺体７のウエッブ７１およびフランジ７２の内面に接着剤を塗布し、この長尺体７を、溝６の中にウエッブ７１を挿入して、溝６に取り付ける。尚、その際、長尺体７の切欠部７５が、表面板３の切欠されない部分３１とリベット２５の場所を通過するようにして長尺体７を取り付ける。
その後、コールドホットプレスで接着剤を固化して全体を接着する。
次に、把手８３や錠孔８４に錠を取り付け、補強板８１を取り付け、蝶番８５を取り付けてドア１を製造する。
このようにして製造したドア１の蝶番８５を玄関の壁９の額縁９１に取り付ける。
このドア１は把手８３をもって回転させて開閉する。
そして、夜や留守のときには防犯のために、錠を施錠する。
【００１５】
このドア１は表面板３が切欠されて溝６が形成されているが、この溝６は長尺体７のフランジ７１で入口が塞がれているから、外側からは溝６が見えず美麗である。
又、このドア１に屋外側（表面板側）から力を加えると、表面板３と上枠２１と下枠２２が切欠されているから、このドア１が裏面板４を中心にして屋内側に曲がるようになるが、溝６の中に長尺体７のウエッブ７１が入れられているから、両側の中桟５、５が溝方向に倒れて、長尺体７のウエッブ７１の両側面に突き当たってドア１が曲がり難いし、又、溝６の中に入れられた長尺体７のウエッブ７１が両側の中桟５、５に固定されているから、ドア１の曲がるのに応じてこのウエッブ７１が屋内側（裏面板側）に移動し、このウエッブ７１に一体になっているフランジ７２がドア１の表面板３に突き当たってドア１の屋内側への移動に抵抗するので、ドア１が屋内側に曲がり難い。
【００１６】
又、表面板３が切欠されない部分３１があるから、この切欠されない部分３１も屋内側への曲がりに抵抗する。
このようにこのドア１は、中桟５が長尺体７のウエッブ７１の両側面に当たることと、フランジ７２が表面板３に突き当たることと、表面板３の切欠されない部分３１とでドア１が曲がり難く、従って、屋外側からの力に対しては堅牢である。
従って、防犯上安全である。
【００１７】
又、ドア１に屋内側（裏面板側）から力を加えると、このドア１が裏面板４を中心にして屋外側に曲げられる。
すると、表面板３が切欠された溝６が拡がるから、この屋内側からの力に対して溝６の中に入れられている長尺体７のウエッブ７１は無力である。又、長尺体７のフランジ７２もドア１の曲がりに応じて屋外側方向に移動するので、このフランジ７２もドア１の曲がりを防ぐ力にならない。結局、この屋内側からの力に対する抵抗は屋内側の裏面板４と屋外側の表面板３の切欠されない部分３１だけになり、極めて弱い。
【００１８】
従って、図３（イ）に示すように、地震等の災害時にドア１の前に重量物９３が落下して開かなくなると、図３（ロ）に示すように、人９４が屋内側からこのドア１を蹴飛ばす等して力を加える。すると、表面板３の切欠されない部分３１が破壊され、ドア１のほぼ中央の溝６の部分が、図３（ロ）に示すように、屋外側に曲がり、額縁９２とドア１との間が開く。更に、図３（ハ）に示すように、人がドア１を蹴飛ばして人９４が通ることができるだけの隙間を開け、図３（ニ）に示すように、この隙間から人９４が外に脱出し避難することができる。
【００１９】
【発明の効果】
本発明ドアでは表面板が切欠されて溝が形成されているが、この溝は長尺体のフランジで入口が塞がれているから、このドアを取り付けていると、外側からは溝が見えず美麗である。
又、このドアに屋外側（表面板側）から力を加えると、表面板と上枠と下枠が切欠されているから、このドアが裏面板を中心にして屋内側に曲がるようになるが、表面板が切欠されて溝が設けられ、この溝の中に長尺体のウエッブが入れられているから、長尺体のウエッブの両側面に突き当たってドアが曲がり難いし、又、溝の中に入れられた長尺体のウエッブが中桟に固定されているから、このウエッブに一体になっているフランジがドアの表面板に突き当たって屋内側に移動できないので、ドアが屋内側に曲がり難い。
このように本発明ドアは、中桟が長尺体のウエッブの両側面に当たることと、フランジが表面板に突き当たることとでドアが曲がり難く、従って、屋外側からの力に対しては堅牢である。
従って、防犯上安全である。
【００２０】
又、ドアに屋内側（裏面板側）から力を加えると、このドアが裏面板を中心にして屋外側に曲げられるが、表面板が切欠された溝が拡がり、長尺体のウエッブは無力である。又、長尺体のフランジもドアの曲がりに応じてドアから離れる方向に移動するので、このフランジもドアの曲がりを防ぐ力にならない。結局、この屋内側からの力に対する抵抗は屋内側の裏面板だけになり、極めて弱い。
従って、地震等の災害時に玄関ドアの前に重量物が落下して外開きの玄関ドアが開かなくなったり、地震等で家屋が歪んだり錠が故障してドアが開かなくなると、屋内側からこのドアを蹴飛ばす等して力を加えてドアを開けて、このドアの開いた所から避難することができるので安心である。
【図面の簡単な説明】
【図１】本発明ドアの一実施例を示すもので、ドアの水平断面図である。
【図２】ドアの製造手順を示すもので、（イ）は裏面板を取り付け、ハニカムを取り付けている状態を示す説明図、（ロ）は（イ）のＡ−Ａ線における断面を示す説明図、（ハ）は表面板を取り付けた状態を示す説明図、（ニ）は断面Ｔ字形の長尺体の斜視図、（ホ）は屋外側から見たドアの説明図、（ヘ）は屋内側から見たドアの説明図、である。
【図３】災害時に脱出する状態を示すもので、（イ）はドアの前に重量物が落下した状態を示す説明図、（ロ）は玄関ドアを蹴飛ばしている状態を示す説明図、（ハ）はドアが曲げられて人が脱出できる隙間ができた状態を示す説明図、（ニ）は人が脱出した状態を示す説明図である。
【符号の説明】
１              ドア
２              枠体
２１            上枠
２２            下枠
２３、２４      側枠
３              表面板
４              裏面板
５              中桟
６              溝
７              長尺体
７１            ウエッブ
７２            フランジ
【図１】
0003609188.tif 000002
【図２】
0003609188.tif 000003
【図３】
0003609188.tif 000004